(57)【特許請求の範囲】
【請求項１】
パチンコ盤面上に取外し自在に設けたレールと、該レールに嵌  挿したスイド台と、該スライド台に上下及び左右に回動自在に取り付けたスライド脚付分度盤とからなり、しかも該スライド脚付分度盤は、垂直分度盤に重ねて該分度盤と相似の上板の底部端部と水平分度盤の底部中心部とが互いにＴ字状に垂直に連設された構成であり、且垂直分度盤の底部中心部にスライド脚が連設されており、該スライド台をスライドさせ該スライド脚付分度盤により釘の上下角と左右角とを同時に計測又は／及び調整可能とすることを特徴としたパチンコ釘２次元測定冶具。
【請求項２】
該スライド脚付分度盤が、スライド台上の両端に左右対称に設けた２つのスライド脚付分度盤であることを特徴とする請求項１記載のパチンコ釘２次元測定冶具。
【請求項３】
請求項１又は２記載の冶具がパチンコ盤面上の所定位置に取付けられており、しかもパチンコ盤面上の釘頭に引掛ける釘頭フックとそれに連設してレールを挟み抑えるＺ型板材からなる固定金具により、パチンコ盤面上の該冶具を構成するレールが固定されていることを特徴とする、請求項１又は２記載のパチンコ釘２次元測定冶具。
【発明の詳細な説明】
【０００１】
【発明の属する技術分野】
本発明は、パチンコ盤面上に打ち込まれた釘の角度を計測又は／及び調整するためのパンコ２次元測定冶具に関する。
詳細には、本発明は、パチンコ盤面上に取外し自在に設けたレールと、該レールに嵌挿たスライド台と、該スライド台に回動自在に取り付けたスライド脚付分度盤とからなる釘の上下角と左右角とを同時に計測又は／及び調整（修正）可能とするパチンコ２次元定冶具に関するものである。
【０００２】
【従来の技術】
パチンコ遊技場を経営する業者或はパチンコを楽しむ多くのお客様がパチンコ台を選ばず、どの機種でも公平に遊べるような状態とは云えずメーカーから出荷された時点のパチンコ盤面に打ち込まれた釘は適当な打ち方でバラバラになっており遊技台を購入した業者が再度点検調整しなければならなかった。
この調整を専門に行う針師と呼ばれる人が、従来は目と勘を頼りに行い前時代的手法でこの勘を身に付けるまでは長い歳月と努力を要し、それでも正確に釘を修正することは大変難しく又、折角高価な遊技台を購入しても、その遊技台の性能を十分に発揮させることが出来ないまま終わらせてしまうことが多かった。
【０００３】
また、過去に様々な一般的に角度測定器などと呼ばれるものがあったが、実際の使用に際しては、使いずらいと言わざるを得なかった。
なぜなら、パチンコ盤面上に打ち込まれた釘は、一般的には半径１７〜１８ｃｍ位の円周の中に約２００本近く打ち込まれ、かつ、大小様々な役物、チューリップなどと呼ばれる釘の計測上では障害物となる物が多いからである。
【０００４】
実際にパチンコ盤面上に角度測定器と呼ばれるものを接合して、計測すればその接合面自体、物理的に或る程度の面積と大きさが必要になる。
ところが、先のように狭い所へは、その接合面が入り込めないのである。
従って、一部の釘は計測可能であっても、大部分の釘の計測は不可能を言わざるを得ない。
【０００５】
特開平１０−３００４０４号公報は、パチンコ台釘角度測定器である。この技術においては直線辺４の長さが問題となる。
特開平９−１８２８３２号公報は、パチンコ機の釘角度測定装置である。この技術においては、台座７の大きさが問題である。
特開平９−９４３２６号公報は、パチンコ機の釘角度測定冶具である。
この技術においては遊技盤側当接面及び脚部の大きさが問題となる。遊技盤側当接面７の大きさ、遊技盤側当接面及び脚部の底部の大きさが問題となる。
【０００６】
【発明が解決しようとする課題】
本発明は、パチンコ遊技業者或はお客様にとって有利なパチンコ台が偏らないように多くのお客様に万遍なく楽しんで頂くように経験の浅い管理者でも短時間で技術を収得することができ、パチンコ機に打ち込まれた釘を誰にでも簡単に垂直方向と水平方向を同時に測定修正が出来、パチンコ機の本来の性能を十分発揮できるゲージを開発しようとするものである。
【０００７】
ところで、上記目的を達成するために、本出願人に係る実願登録第３０４２６６３号「固定式パチンコ修正ゲージ」、いわゆる馬蹄形ゲージ等を用いて測定・修正を行ってきた。
しかし、このようなゲージを用いたのでは、一本の釘を修正するのに、上下即ち縦方向を修正した後に、ゲージを持ち替えて、左右即ち水平方向の修正を行わなければならず、持ち替えた後の修正で最初の縦方向の位置が、ずれていないか、再確認しなければならず、決定するまで否応なく修正時間を多く費やすようになっていた。
【０００８】
【課題を解決するための手段】
本発明者は、上記課題を種々検討した結果、パチンコ盤面上に取外し自在に設けたレールと、該レールに嵌挿したスライド台と、該スライド台に回動自在に取り付けたスライド付分度盤とからなるゲージを適用することにより、取外し自在で且つ釘の上下角と左右とを同時に計測又は／及び調整（修正）可能であることを見出し、本発明を完成するにった。
【０００９】
即ち、本発明は、以下の通りである。
（１）パチンコ盤面１０上に取外し自在に設けたレールと、該レールに嵌挿したスライド台６と、該スライド台に上下及び左右に回動自在に取り付けたスライド脚付き分度盤３２とからなり、しかも該スライド脚付分度盤３２は垂直分度盤１３に重ねて該分度盤と相似の上板３４の底部端部と水平分度盤７の底部中心部とが互いにＴ字状に垂直に連設された構成であり、且つ垂直分度盤１３の底部中心部にスライド脚１６が連設され、該スライド台６をスライドさせて該スライド脚付分度盤３２により釘の上下角と左右角とを同時に計測又は／及び調整（修正）可能とするパチンコ釘２次元測定冶具を提供する（図１、４−（ロ））。また、
【００１０】
（２）該スライド脚付分度盤が、スライド台上の両端に左右対称に設けた２つのスライド脚付分度盤である（１）記載のパチンコ釘２次元測定冶具を提供する（図４−（イ））。また、
（３）（１）又は（２）記載の冶具がパチンコ盤面１０上の所定位置に取付けられており、しかもパチンコ盤面１０上の釘頭に引掛ける釘頭フック２６とそれに連設してレールを挟み抑えるＺ型板材２５からなる固定金具により、パチンコ盤面上の該冶具を構成するレールが固定されていることを特徴とする、（１）又は（２）記載のパチンコ釘２次元測定冶具（図７、８）を提供する。
【００１１】
本発明は、下記の実施の態様をも包含する。
（ｉ）透明前面板のみを上部から引き抜いて（１）又は（２）記載の冶具をパチンコ盤面１０上に取付けた後に、パチンコ盤の外枠を固定ベルト２４により固定する（１）又は（２）記載のパチンコ釘２次元測定冶具の固定方法を提供する（図５）。また、
（ｉｉ）レールがスライド台６を嵌挿させるスライドレール２と、該スライドレール２を上下に保持する保持枠１と、左右に保持する保持レール３とから構成され、スライド脚付分度盤３２を取り付けたスライド台６の円滑な移動を助けることを特徴とするパチンコ釘２次元測定冶具（図１、２、３−（イ））。
（ｉｉｉ）垂直分度盤に重ねて分度盤と相似の半月状上板３４の周面に、分度盤の度数目盛り３１に対応した位置に角度指示印１５を設けることを特徴とするパチンコ釘２次元測定冶具（図４−（イ）、（ロ））。
（ｉｖ）保持レール３のスリット３３内に上下に移動可能な、挟持リング１４とストッパー１２とを持つ支持稈８によって、それに挟持されたスライド台６上のスライド脚付分度盤３２の高さを安定させたことを特徴とするパチンコ釘２次元測定冶具（図３−（ロ）、（ハ））。
【００１２】
【発明の実施の形態】
本発明の実施の形態を図面に基づき更に説明する。
本発明のパチンコ釘２次元測定冶具は、任意の大きさの略正方形等に近い基台上に組立られ、基本的に、パチンコ盤面上に取外し自在に設けたレール（Ａ）と、該レールに嵌したスライド台（Ｂ）と、該スライド台に上下及び左右に回動自在に取り付けたスライド脚付分度盤（Ｃ）とから構成される（図１、４−（ロ））。
（ｉ）レールの構成
本発明の冶具を構成するレール（Ａ）は、スライド台６を嵌挿させるスライドレール２と、該スライドレール２を支持するスライドレール受部３７と、該スライドレール２を上下に保持する保持枠１と、左右に保持する保持レール３とから構成され、スライド脚付分度盤３２を取り付けたスライド台６の円滑な移動を助ける機能を有する（図１〜３）。
該スライドレール２は、両端が鉤状に曲がっており、保持枠１に隣接して上下にに設けたライドレール溝４の上に乗り、該スライド溝４の隙間を前後にスライドする構成となっる（図１、２）。
また、スライド脚付分度盤３２を取り付けるスライド台６は、保持枠１付きの基台２３載せたスライドレール２が左右に滑らかに移動できるようにスライドレール溝４を上下に取付け、該スライドレール２にスライド台６を嵌挿させることにより、上下にスライドする構造となっている（図１、２）。
【００１３】
（ｉｉ）冶具の高さの確保機構
本発明の冶具の高さを均一に確保するために、基台２３上に設けられた冶具本体高さ保持レール溝５に添って左右にスライドする、保持レール受部３８に支えられた保持レール３を設け、該保持レール３は、その両端に鉤状に曲がったスライドレール２を嵌め込み、保持レール溝５の隙間をスライドさせる（図１〜３）。
保持レール３中の中央に縦長のスリット３３があり、その中に上下に移動可能な支持悍８は矜持リング１４とストッパー１２との間に保持レール３を挟むように構成され、左右２個の保持レール３、３内に夫々２個ずつの支持悍８により冶具の高さを安定させている。
そして、該支持稈８は、パチンコ盤面１０に接して冶具を支え、高さを均一にして安定する機能を持ち、測定或は修正しようとするパチンコ釘９はスライド脚付分度盤３２により、釘の上下角と左右角とを同時に計測又は／及び調整を行える（図３−（ロ）、（ハ））。
【００１４】
（ｉｉｉ）スライド脚付分度盤の構造とその機能
（イ）該スライド脚付分度盤３２は、垂直分度盤１３に重ねて該分度盤と相似のと重なって構成された上板３４の底部端部と水平分度盤７の底部中心部とが互いにＴ字状に垂直に連設された構成であり、且つ垂直分度盤１３の底部中心部にスライド脚１６が連設され、該スライド台６をスライドさせて該スライド脚付分度盤３２を構成する垂直分度盤１３又は水平分度盤７の操作により、即ち、釘の上下角は垂直分度盤１３のみの操作により、釘の左右角は水平分度盤７のみの操作により、釘の上下角と左右角とを同時に計測又は／及び調整を行うものである。
（ロ）スライド脚付分度盤３２は、スライド台６上の両端に左右対称に２つ設けることが好ましく、釘角度を計測又は／及び調整を行うには、パチンコ盤面１０の左端の釘を計測又は／及び調整（修正）する時は左側のスライド脚付分度盤を使用すれば左端の釘まで計測又は／及び調整（修正）可能であり、右端の釘に対しては右側に取付けたスライド脚付分度盤３２を使用すれば計測又は／及び調整できる（図５）。
【００１５】
（ハ）スライド脚付分度盤３２の構造は、図４−（ロ）に示されるように、釘の左右角、即ち水平角と上下角即ち垂直角が同時に計測又は／及び調整（修正）出来るように、垂直分度盤１３に重ねて該分度盤と相似の上板３４の底部端部と水平分度盤７の底部中心部とが連結部２２で接続されたスライド脚付分度盤３２は、一方の水平分度盤が水平方向に他方の垂直分度盤は垂直方向に向くように９０°折り曲げられている。
度数目盛り３１が刻印された水平分度盤７はスライド台６に蝶ネジ１９等で締められて左右方向に回動自在であり、角度が決まった時点で固定する。
更に、水平分度盤７の基点に蝶ネジ１９等で固定された中央部は同じ材質等で延長され、連結部２２を介して水平分度盤７の一端に接続されて上板３４を形成し、上板３４の曲面上部中央に角度指示印１５が捺印されている。
【００１６】
上記角度指示印１５を持つ上板３４より小さめの垂直分度盤１３には度数目盛り３１が刻印され、角度指示印１５付き水平分度盤７と中央下部支点で蝶ネジ１９等で結合されており、度数目盛り刻印３１付き垂直分度盤１３は同材質等で中央下部に伸長し、スライド脚１６に連結している。
この構造の垂直分度盤１３は蝶ネジ１９を中心にして上下に回動する。そして、該スライド脚１６はパチンコ釘を計測又は／及び調整（修正）する釘当接面を構成する。
上記スライド脚付分度盤３２を構成する水平分度盤７と垂直分度盤１３を操作することにより、２次元（上下角及び左右角）を同時に計測又は／及び調整（修正）することが可能になる。
【００１７】
（ニ）左右にスライドするスライドレール２に嵌挿されたスライド台６の側部６ｂにに取付けられたスライド脚付分度盤３２をパチンコ盤面１０に挿入すると、測定又は／及び調整（修正）しようとする釘の位置までスライド脚付き分度盤３２を取り付けたスライド台６を移動させて釘角度の測定又は／及び調整を行う。
【００１８】
（ホ）スライド台の構造
左右に水平方向にスライドするスライドレール２を挟んで上下にスライドするスライド脚付き分度盤３２が取り付けられたスライド台６は、上中下３層構造から構成され、その中間層の板厚はスライドレール２にスライド台６がスライドし易いように僅かに厚くなっており、その３層構造のスライド台６はネジ２０で固定されている（図４−（イ））。
スライド台６の表面部６ａの両端に水平分度盤７が蝶ネジ１９等で回動自在に取付けられ、該水平分度盤７に度数目盛３１を、その直角方向に垂直分度盤１３の角度指示印１５をスライド台６に取り付けた上板３４（連結部２２を介して水平分度盤７に接続する）に加印し、垂直分度盤１３の角度指示印とする（図４−（ロ））。
【００１９】
図４−（ロ）に示すように、水平分度盤７と同材質等の平板で該水平分度盤７の中心より任意の寸法の巾で任意の寸法の長さ方向を伸長させた部材の延長線上に水平分度盤より少し大きい垂直分度盤の角度指示印１５を持つ半月形等の上板３４を設ける。
水平分度盤７と垂直分度盤１３の角度指示印１５を接続する任意の寸法の巾と長さを持つ長さ方向の連結部２２の板は中央で直角に折曲げてある（図４−（ロ））。
この連結部２２の板の材質は金属でもプラスチック等でもよいが、一体成形で作れば安価である。
【００２０】
垂直分度盤１３の角度指示印１５が隠れない程度小さくした垂直分度盤１３を別途作製し、一方、水平分度盤７の半月部に度数目盛３１を刻印し、垂直分度盤１３の角度指示印１５と適合する角度で計測を指示される。
垂直分度盤１３と垂直分度盤１３の角度指示印１５を持つ半月形等の上板３４は蝶ネジ１９等で接続して回動させる（図４−（ロ））。
両分度盤７、１３の表示はアナログ・デジタルを問わない。
【００２１】
（ヘ）スライド脚の構造
図４−（ロ）に示されるように、垂直分度盤１３の中心下部より任意の巾と任意の長さで伸長して、この伸長部にスライド脚１６の上下移動用のスライド枠１８が穿ってある。
該スライド枠１８の内側にスライド脚１６を掴み上下にスライドさせる把手１７を設けたスライド脚１６が上下移動可能なように別途に作られている。
該スライド脚付分度盤３２の使用によって、パチンコ釘９に当接して測定又は／及び調整（修正）を垂直方向と水平方向を同時に行うことも特徴とする。
【００２２】
基台２３を外したことで新たにパチンコ盤面１０に固定する方法が必要となり、以下の（ｉｖ）固定ベルトによる方法、（ｖ）固定金具による方法が挙げられる。
（ｉｖ）固定ベルトによる冶具の固定
透明前面板のみを上部から引き抜いて、冶具をパチンコ盤面１０上に取付け、パチンコ盤の外枠に固定ベルト２４で装着する（図５）。
この固定方法によると、透明前面板の枠は閉じたままの状態で冶具をパチンコ盤面１０に挿入することができ、パチンコ釘９の釘角度の測定又は／及び調整を可能にする。
具体的には、基台２３を取り外し、保持枠１、スライドレール２、スライドレール溝４、スライド台６を予め組立ててからパチンコ盤面１０に取付ける。
このような基台２３が装着できない理由は、パチンコ盤面１０の形状が一様でないために、本発明の固定方法によると、透明前面板を上部へ引き抜き、透明前面板の枠は閉じた状態で挿入するため、冶具を組み込んだパチンコ盤面１０の上下に鉢巻状に回した固定ベルト２４の両端をパチンコ遊技機の側面の板溝（図示されない）に固定する両端フック付の固定ベルト２４を採用することが好ましい。
【００２３】
（ｖ）固定金具による冶具の固定
図８において、固定金具２５は釘頭フック２６を設けたシャフト２９にネジ切り３０が立ててあり、ネジ３０の下部にはスプリング２７を取付け、スライドレール２と釘頭３５を固定した時のクッションの役目をしている。
Ｚ型をした固定金具２５は、シャフト２９を安定して固定するため、スプリング・シャフト挿入口２８を設けることで固定金具のＺ型の力点が更に保てる構造となる。
【００２４】
【発明の効果】
パチンコ遊技台が新品と中古品とを問わず、また種々ある盤面の形状に拘らず、パチンコ釘を計測又は／及び調整（修正）する時に、スライドレールやスライド脚付分度盤付きスライド台を上下・左右にスライドすることによって、任意の角度を選定し、釘角度の上下角と水平角を同時に計測又は／及び調整することを可能にした。
【図面の簡単な説明】
【図１】  本発明の冶具（スライドレールと該スライドレール２に嵌挿したスライド台とその側面部に取付けたスライド脚付分度盤）を、パチンコ遊技盤のパチンコ透明前面板を開き嵌め込んだ正面図である。
【図２】  本発明の冶具を取り付けた状態を示す正面図である。
【図３】−（イ）はスライド台の側面部に取付けた冶具の使用状態を示す断面図であり、（ロ）は、本発明による冶具の高さを保持するための、高さ保持レールの斜視図であり、（ハ）は保持レールに取付ける支持稈の構造を示す斜視図である。
【図４】−（イ）はスライド台の側面部の両端に取付けた２個のスライド脚付分度盤を示す斜視図であり、（ロ）はスライド脚付分度盤の構造を示す斜視図である。
【図５】  パチンコ機の透明前面板の枠は取付けた状態で冶具を挿入するために、パチンコ遊技台本体の上下に固定ベルトを回した状態を説明する模式図である。
【図６】  本発明による冶具の平面図である。
【図７】  固定金具を使用して、パチンコ釘とスライドレールを固定する状態を説明する断面図である。
【図８】−（イ）は固定金具の斜視図であり、（ロ）はスライドレールをパチンコ盤面のパチンコ釘に取付けた状態を示す断面図である。
【符号の説明】
１  保持枠
２  スライドレール
３  保持レール
４  スライドレール溝
５  保持レール溝
６  スライド台
６ａ  スライド台の表面部
６ｂ  スライド台の側部
７  水平分度盤
８  支持捍
９  釘
１０  パチンコ盤面
１１  スライド溝
１２  ストッパ
１３  垂直分度盤
１４  挟持リング
１５  角度指示印
１６  スライド脚
１７  把手
１８  スライド枠
１９  蝶ネジ
２０  ネジ
２１  スライド部
２２  連結部
２３  基台
２４  固定ベルト
２５  Ｚ型板材
２６  釘頭フック
２７  スプリング
２８  シャフト挿入口
２９  シャフト
３０  ネジ切り
３１  度数目盛り
３２ スライド脚付分度盤
３３  スリット
３４  上板
３５  釘頭
３６ 固定金具
３７ スライドレール受部
３８ 本体高さ保持レール受部
【図１】
0003966698.tif 000002
【図２】
0003966698.tif 000003
【図３】
0003966698.tif 000004
【図４】
0003966698.tif 000005
【図５】
0003966698.tif 000006
【図６】
0003966698.tif 000007
【図７】
0003966698.tif 000008
【図８】
0003966698.tif 000009